(57)【要約】【課題】本発明は、汚れた使用済み洗浄布をクリーニングするための洗浄布の再生クリーニング装置を提供する【解決手段】本出願の洗浄布クリーニング装置２１は、オフセット印刷機１における印刷ユニット３のブランケット５、５ａの表面上に生じる堆積物１７の洗浄に使用される洗浄布１３ａのクリーニング装置２１において、前記洗浄布１３ａを巻き取るための巻き取り手段３３と、前記洗浄布１３ａを上下方向に振動させるための振動手段２０と、前記洗浄布１３ａの上下方向に洗浄布１３ａの表裏面の堆積物１７を掻き出すための掻き出し手段２４ａ、２４ｂと、を具備する。【選択図】      図５
2004351615.tif 000002
【特許請求の範囲】
【請求項１】
オフセット印刷機における印刷ユニットのブランケットの表面上に生じる堆積物の洗浄に使用される洗浄布のクリーニング装置において、
前記洗浄布を供給するための洗浄布供給手段と、
前記洗浄布を巻き取るための洗浄布巻き取り手段と、
前記洗浄布を上下方向に振動させるための振動手段と、
前記洗浄布の上下方向に洗浄布の表裏面の堆積物を掻き出すための掻き出し手段と、
を具備することを特徴とする洗浄布クリーニング装置。
【請求項２】
前記掻き出し手段の下流側にエアーを供給するエアー供給手段と、
前記掻き出し手段の上流側に堆積物を吸い込むための吸い込み手段と、
を具備することを特徴とする請求項１に記載の洗浄布クリーニング装置。
【請求項３】
前記掻き出し手段は巻き取り方向に対して逆方向に回転するブラシであることを特徴とする請求項１に記載の洗浄布クリーニング装置。
【請求項４】
前記吸い込み手段は、前記堆積物を集塵するためのフィルタを備えていることを特徴とする請求項２に記載の洗浄布クリーニング装置。
【請求項５】
前記洗浄布の巻き取りにおいて、前記洗浄布に所定のテンションを与えるためのテンション調整手段を備えていることを特徴とする請求項１に記載の洗浄布クリーニング装置。
【発明の詳細な説明】
【０００１】
【発明の属する技術分野】
本発明は、オフセット印刷機の印刷ユニットで使用された洗浄布のクリーニングに関する。
【０００２】
【従来の技術】
従来、オフセット印刷機において画線部と非画線部とからなる平版に着肉ローラーにより着肉された画線部をムラなく印刷紙上に転移するための版上の、画線を一旦、ブランケット胴に巻きつけられたゴム製クッションシート（以下、「ブランケット」と称する。）上に転写せしめ、その転写画線を印刷紙上に再転写する。すなわちインキが着肉された画線を版からブランケット上に一旦転写（オフ）し、ブランケットから印刷紙上に再転写（セット）するので、オフセット印刷と言われる。
【０００３】
【発明が解決しようとする課題】
ところが、長時間印刷を続行していると、図６に示すように、このブランケット４０の表面上に印刷紙の紙粉とインキの堆積物４１が堆積し、鮮明な画線が得られなくなるため、一定時間印刷すると、このブランケット４０の表面上の堆積物４１をブランケット洗浄装置４３で洗浄を行っている。この時、ロール状の不織布４４を洗浄布４４ａとして用い、洗浄布４４ａを数ｃｍづつ巻き送りながら裏面から洗浄用溶剤を溶剤ノズル４５から吹き付けその溶剤を含んだ洗浄布を同じく裏面からエアーパッド４６で堆積物４１で汚れたブランケット４０の表面に押し付け、ブランケット４０を緩動回転させながら、ブランケット４０の表面の堆積物４１を擦り取って、洗浄している。ところがこの洗浄布が高価であり、しかも片面しか使用せず産業廃棄物として有料廃棄されている問題があった。
【０００４】
また、洗浄布は使用し終わると、新しい洗浄布ロールに交換され使用済みロールは産業廃棄物として焼却処分するため、有料廃棄されているが焼却炉で焼却する条件が義務づけられている。その条件とは１ｍ×２０ｍの大きさがあるためそのまま焼却炉に投入すると燃焼攪拌バケットアームにほぐれて巻きつきバケットアームで攪拌するたびに千切れて舞い上がった切れ端がフィルタの目詰まりの原因になるため、１ｍ２以下に断裁することが義務づけられている。このため、通常の焼却廃棄物よりもコストが掛かるという問題があった。
【０００５】
また、この洗浄布の再利用に必要な条件を分析すると、掻きとった紙粉、インキ等の堆積物が使用済み洗浄ロールの間に挟みこまれており、これを除去しないと再使用の際、ブランケット上に堆積物が転移して、印刷物にゴミ欠陥を発生させる。
【０００６】
一方、堆積物が溶剤に溶かされ洗浄布に横じま状の染色汚れがついているが、実機テストの結果、この染色汚れはブランケット洗浄には何ら影響のないことが判明した。また、使用済み洗浄布が洗浄時に裏面から吹き付けられているため、残留洗浄液でウエットの状態であるが、この状態の方が堆積物の乾燥を防ぎ再生洗浄時にこの堆積物が容易に除去できる利点がある上、さらに再利用時にその分だけ洗浄液量を節減できることも判明した。
【０００７】
従って、この染色汚れを無視することが出来る故、使用済み洗浄布ロールの間に巻き込まれた紙粉やインキかすの堆積物をのみ除去すれば問題なく再使用が可能であることが判明した。
【０００８】
一方、汚れた洗浄布を通常のドライクリーニングを行うと新品よりも高価なクリーニング費が掛かり採算が取れない問題があった。
【０００９】
本発明は、前記問題に着目し、この汚れた使用済み洗浄布をクリーニングしてリサイクルを行えばコスト削減のみならず、地球環境汚染防止の一助になることからこの使用済み洗浄布の再生クリーニング装置を提供することにある。
【００１０】
【課題を解決するための手段】
以下、本発明について説明する。なお、本発明の理解を容易にするために添付図面の参照符号を括弧書きにて付記するが、それにより本発明が図示の形態に限定されるものではない。
【００１１】
オフセット印刷機（１００）における印刷ユニット（３）のブランケット（５、５ａ）の表面上に生じる堆積物（１７）の洗浄に使用された洗浄布（１３ａ）のクリーニング装置（２１）において、前記洗浄布を供給するための洗浄布供給手段（１０）と、前記洗浄布を巻き取るための洗浄布巻き取り手段（３３）と、前記洗浄布を上下方向に振動させるための振動手段（２０）と、前記洗浄布の上下方向に洗浄布の表裏面の堆積物を掻き出すための掻き出し手段（２４ａ、２４ｂ）と、を具備することを特徴とする。また、前記掻き出し手段は巻き取り方向に対して逆方向に回転するブラシであることを特徴とする。
【００１２】
このようにすれば、洗浄布の表裏面に堆積した堆積物を除去することができる。
【００１３】
前記掻き出し手段の下流側にエアーを供給するエアー供給手段（３５、３０ａ、３０ｂ）と、前記掻き出し手段の上流側に堆積物を吸い込むための吸い込み手段（２７ａ、２７ｂ、２８ａ、２８ｂ）と、を具備することを特徴とする。また、前記吸い込み手段は、前記堆積物を集塵するためのフィルタ（２９）を備えていることを特徴とする。
【００１４】
このようにすれば、洗浄布の表裏面に堆積した堆積物を除去することができる。
【００１５】
前記洗浄布の巻き取りにおいて、前記洗浄布に所定のテンションを与えるためのテンション調整手段（１２、１５）を備えていることを特徴とする。
【００１６】
このようにすれば、洗浄された洗浄布の巻き取りにおいて、当該洗浄布の端面が揃った状態で巻き取れる。
【００１７】
【発明の実施の形態】
以下、本願の洗浄布のクリーニング装置について詳述する。
【００１８】
図１はオフセット輪転印刷機の概要図、図２は印刷ユニットの構造図である。
【００１９】
図１に示すように、オフセット輪転印刷機１００は、ウェブである印刷紙１の流れ方向に、給紙装置１１０、複数の印刷ユニット３を有する印刷装置１２０、インキ乾燥装置１３０、冷却装置１４０、折装置１５０を順に備えている。
【００２０】
給紙装置１１０で巻き取り紙１１０ａから繰り出されたウェブである印刷紙１は、後に詳しく述べる印刷装置１２０の各印刷ユニット３を通って表裏に多色印刷され、インキ乾燥装置１３０でインキが乾燥され、冷却装置１４０の多数の冷却ローラー１４０ａで冷却された後、折装置１５０で所望の形態に折られ切断される。
【００２１】
給紙装置１１０、インキ乾燥装置１３０、冷却装置１４０、折装置１５０は公知の装置であるからそれらの詳細な説明は省略することとし、印刷装置１２０の各印刷ユニットについて詳しく説明する。
【００２２】
図２に示すように、印刷ユニット３は、インキを有するインキツボ３ａと、インキを転移する各ローラー類３ｂと、湿し水を蓄えるための水舟３ｃと、湿し水を版全面に薄くコーティングするための各ローラー類３ｄと、印刷紙面に転移をきれいに行う目的で一旦転移するための上版胴４、下版胴４ａ、下ゴム胴５ａ、及び上ゴム胴５等と、上ゴム胴５及び下ゴム胴５ａ（以下、「ブランケット」と称する。）を洗浄するための洗浄布１３ａを有する洗浄装置６、を備えている。
【００２３】
この洗浄装置６は、ブランケット洗浄時に洗浄装置６にセットされたロール状の不織布である洗浄布１３ａにインキを溶解させる溶剤を含ませ、ブランケットシリンダにエアーバックで圧着し、ブランケット上の堆積物を溶解しつつ、掻き落としブランケット胴が数回転すると堆積物を掻きとって汚れた洗浄布は数ｃｍ巻き取られて新しい洗浄布が繰り出され圧着洗浄を数回繰り返しブランケットの洗浄が完了する。
【００２４】
本願の洗浄布クリーニング装置の構成について図３〜図５を用いて説明する。
【００２５】
図３は洗浄布クリーニング装置の構造を示し、図３（ａ）は正面図、図３（ｂ）は背面図、図３（ｃ）は平面図、図４は洗浄布クリーニング装置の内部構造図、図５は図４のＡ拡大図である。
【００２６】
洗浄布クリーニング装置２１は、洗浄装置６に有する洗浄布１３ａを洗浄（クリーニング）するための装置である。
【００２７】
この洗浄布クリーニング装置２１は、使用済みの洗浄布（以下、「洗浄布」と称する。）１３ａを備えた洗浄布ロール１３を固定するためのチャッキングホルダ１１を有するアンワインダー１０と、使用済みの洗浄布ロール１３を巻き取るための洗浄布巻き取りコア３２を有するワインダー３３を備える。また、アンワインダー１０には、このアンワインダー１０を駆動するためのモータ１５が接続されている。さらにアンワインダー１０のチャッキングホルダ１１の軸にはパウダーブレーキ１２が備えられている。このモータ１５とパウダーブレーキ１２は、洗浄布１３ａの巻き取りにおいて、洗浄布１３ａに所定のテンションを与えるために設けられている。具体的には、洗浄布１３ａの巻き取り速度よりも遅い回転数でモータ１５を制御する。また、モータ１５の回転速度が速い場合には、パウダーブレーキにより回転数を下げる。なお、アンワインダー１０は洗浄布供給手段として機能し、ワインダー３３は洗浄布巻き取り手段として機能する。また、このモータ１５とパウダーブレーキ１２はテンション調整手段として機能する。
【００２８】
このようにアンワインダー１０のチャッキングホルダ１１の軸にパウダーブレーキ１２を設け常に洗浄布１３ａに一定テンションをかけることで、洗浄された洗浄布の巻き取りにおいて、当該洗浄布１３ａの端面が揃った状態で巻き取れる。また、ワインダー３３には、このワインダー３３を駆動するためのモータ３４が接続されている。また、アンワインダー１０とワインダー３３との間には、ガイドローラー１９が設けられ、洗浄布１３ａを所定の高さにガイドする。また、ワインダー３３によって洗浄布１３ａが巻き取られる。
【００２９】
なお、アンワインダー３３は、洗浄布１３ａを洗浄布クリーニング装置２１に供給するための供給手段として機能する。また、ワインダー３３は洗浄布を巻き取るための巻き取り手段として機能する。
【００３０】
また、洗浄布１３ａの上下方向に上部ブラシ２４ａ及び下部ブラシ２４ｂが備えられるとともに、この洗浄布１３ａの巻き取り方向下流側には上下方向に振動するバイブレーターローラー（以下、「バイブレーター」と称する。）２０が備えられる。このバイブレーター２０は、洗浄布１３ａを上下に振動させるための振動手段として機能する。
【００３１】
ブラシ２４ａ、２４ｂには、ブラシ２４ａ、２４ｂを回転するためのモータ１６が接続されている。また、ブラシ２４ａ、２４ｂは、洗浄布１３ａの巻き取り方向に対して逆方向に回転される。また、上下ブラシ２４ａ、２４ｂの両側方には、エアーを洗浄布１３ａと上下ブラシ２４ａ、２４ｂと間に効率よく導くため、及び堆積物を効率よく上下バキュームダクト２８ａ、２８ｂに導くためのエアーナイフ２５ａ、２５ｂを備えている。なお、このブラシ２４ａ、２４ｂは洗浄布１３ａの表裏面に堆積した堆積物を掻き出して除去するための掻き出し手段として機能する。
【００３２】
この洗浄布クリーニング装置２１の本体２１ａの内部には、ブロアーモータ３５が設けられている。ブロアーモータ３５には、洗浄布１３ａの上下方向にブラシ２４ａ、２４ｂの下流側から上流方向に向かってエアーを供給するための上部エアーナイフ用ダクト３０ａと下部エアーナイフ用ダクト３０ｂと、洗浄布１３ａの上下方向に前記エアーとブラシ２４ａ、２４ｂによって発生する洗浄布１３ａの表面にこびり付いているインキ等の堆積物１７を吸い込むための上部バキュームダクト２８ａ、及び下部バキュームダクト２８ｂが接続される。また、バキュームダクト２８ａ、２８ｂの所定部には、このバキュームダクト２８ａ、２８ｂによって吸い込まれた堆積物１７を保持するためのフィルタ２９、２９が設けられている。また、エアーナイフ用ダクト３０ａ、３０ｂの出口は洗浄布の上下方向であってブラシ２４ａ、２４ｂの下流側に設けられる。バキュームダクト２８ａ、２８ｂの入口（吸い込み口）は洗浄布１３ａの上下方向であってブラシ２４ａ、２４ｂの上流側に設けられる。また、上部ブラシ２４ａには、洗浄布１３ａをアンワインダー１０からワインダー３３にセットする際に上部ブラシ２４ａを上方向に移動するためのエアーシリンダ３７が接続されている。
【００３３】
なお、このブロアーモータ３５と上下エアーナイフ用ダクト３０ａ、３０ｂはエアー供給手段として機能する。また、上下バキュームブロアー２７ａ、２７ｂと上下バキュームダクト２８ａ、２８ｂは、吸い込み手段として機能する。
【００３４】
次に、本願の洗浄布クリーニング装置に洗浄布の装着方法について図４を用いて説明する。
【００３５】
先ず、アンワインダー１０に使用済み洗浄布ロール１３を装着する。次に、エアーシリンダ３７によって上部ブラシ２４ａを上方向に移動し（上げて）、上部ブラシ２４ａと下部ブラシ２４ｂとの間隔を開く。次に、アンワインダー１０に装着された洗浄布１３ａの先端を上部ブラシ２４ａと下部ブラシ２４ｂとの間に通し、その先端部をワインダー３３に予めセットされている洗浄布巻き取りコアー３２にテープで固定する。最後に、エアーシリンダ３７により上部ブラシ２４ａを下方向に移動する（下げる）。
【００３６】
次に、本願の洗浄布クリーニング装置の動作について図３〜図５を用いて説明する。
【００３７】
洗浄布クリーニング装置２１を起動すると、ワインダー３３が作動し使用済み洗浄布１３ａを巻き取り始めると同時に上部ブラシ２４ａ及び下部ブラシ２４ｂがモータにより洗浄布１３ａの進行方向（巻き取り方向）に対し逆回転する。また、ブロアーモータ３５が作動して、エアーナイフ用ダクト３０ａ、３０ｂからエアーが洗浄布１３ａの表裏面に強制的に上部ブラシ２４ａ及び下部ブラシ２４ｂ方向に供給される。また、バイブレーター２０により洗浄布１３ａを上下に振動させる。この上部ブラシ２４ａ、下部ブラシ２４ｂ、エアー、及びバイブレーター２０によって洗浄布１３ａの両面の堆積物１７を掻き取るとともに吹き飛ばす。また、吹き飛ばされた洗浄布１３ａの表裏面から完全に浮き上がった堆積物１７は、上部バキュームダクト２８ａ及び下部バキュームダクト２８ｂによって、散乱することなく吸い込まれる。吸い込まれた堆積物１７は、フィルタ２９によって集塵（捕捉）される。
【００３８】
以上に説明したように、本願の洗浄布クリーニング装置２１は、オフセット印刷機１００における印刷ユニット３のブランケット４０の表面上に生じる堆積物４１の洗浄に使用される洗浄布１３ａのクリーニング装置２１において、前記洗浄布１３ａを供給するためのモータ１５を有するアンワインダー１０と、前記洗浄布１３ａを巻き取るためのモータ３４を有するワインダー３３と、前記洗浄布１３ａを上下方向に振動させるためのバイブレーターローラー２０と、前記洗浄布１３ａの上下方向に洗浄布１３ａの表裏面の堆積物を掻き出すための上部ブラシ２４ａ及び下部ブラシ２４ｂと、を具備する。
【００３９】
また、前記ブラシ２４ａ、２４ｂの下流側にエアーを供給するブロアーモータ３５と連絡する上部エアーナイフ用ダクト３０ａ、及び下部エアーナイフ用ダクト３０ｂと、前記ブラシ２４ａ、２４ｂの上流側に堆積物を吸い込むためのバキュームブロア２７ａ、２７ｂと連絡する上部バキュームダクト２８ａ及び下部バキュームダクト２８ｂと、を具備する。
【００４０】
また、ブラシ２４ａ、２４ｂは巻き取り方向に対して逆方向に回転する。
【００４１】
また、前記上下バキュームダクト２８ａ、２８ｂの一部には、前記堆積物を集塵するためのフィルタを備えている。
【００４２】
また、前記洗浄布１３ａの巻き取りにおいて、前記洗浄布１３ａに所定のテンションを与えるためのモータ１５及びモータ１５の軸に備えられるパウダーブレーキ１２を備えている。
【００４３】
このようにすれば、洗浄布１３ａの表裏面に堆積した堆積物１７を除去することができる。また、洗浄された洗浄布の巻き取りにおいて、当該洗浄布の端面が揃った状態で巻き取れる。
【図面の簡単な説明】
【図１】オフセット輪転印刷機の概要図である。
【図２】印刷ユニットの構造図である。
【図３】洗浄布クリーニング装置の構造を示し、図３（ａ）は正面図、図３（ｂ）は背面図、図３（ｃ）は平面図である。
【図４】洗浄布クリーニング装置の内部構造図である。
【図５】図４のＡ拡大図である。
【図６】洗浄装置によるブランケットの洗浄例である。
【符号の説明】
１  オフセット印刷機
３  印刷ユニット
５  ブランケット（上ゴム胴）
５ａブランケット（下ゴム胴）
１０  洗浄布供給手段（アンワインダー）
１２  テンション手段（パウダーブレーキ）
１５  テンション手段（モータ）
１３ａ洗浄布
１７  堆積物
２０  振動手段（バイブレーターローラー）
２１  洗浄布のクリーニング装置
２４ａ掻き出し手段（上部ブラシ）
２４ｂ掻き出し手段（下部ブラシ）
２７ａ吸い込み手段（上部バキュームブロアー）
２７ｂ吸い込み手段（下部バキュームブロアー）
２８ａ吸い込み手段（上部バキュームダクト）
２８ｂ吸い込み手段（下部バキュームダクト）
２９  フィルタ
３０ａエアー供給手段（上部エアーナイフ用ダクト）
３０ｂエアー供給手段（下部エアーナイフ用ダクト）
３３  洗浄布巻き取り手段（アンワインダー）
３５  エアー供給手段（ブロアーモーター）
【図１】
2004351615.tif 000003
【図２】
2004351615.tif 000004
【図３】
2004351615.tif 000005
【図４】
2004351615.tif 000006
【図５】
2004351615.tif 000007
【図６】
2004351615.tif 000008